【手続補正書】
【提出日】平成17年3月24日(2005.3.24)
【手続補正１】
【補正対象書類名】明細書
【補正対象項目名】特許請求の範囲
【補正方法】変更
【補正の内容】
【特許請求の範囲】
【請求項１】
遊技者が所定の遊技を行い、入賞に応じて景品遊技媒体を払い出す遊技機であって、
遊技の進行を制御する遊技制御用マイクロコンピュータが搭載された遊技制御基板と、
入賞に応じて前記遊技制御用マイクロコンピュータから出力される払出制御コマンドにもとづいて景品遊技媒体の払出処理を行う払出制御用マイクロコンピュータが搭載された払出制御基板と、を備え、
前記遊技制御用マイクロコンピュータは、バックアップ電源により遊技機に対する電力供給が停止してもデータが保持されるＲＡＭを有し、電力供給が開始されたときにＲＡＭの保持データにもとづいて遊技状態を復帰させる遊技状態復帰制御を行うことが可能であり、
前記払出制御用マイクロコンピュータは、バックアップ電源により遊技機に対する電力供給が停止してもデータが保持されるＲＡＭを有し、電力供給が開始されたときにＲＡＭの保持データにもとづいて電力供給停止時の景品遊技媒体の払出処理を再開することが可能であり、
遊技機で使用される各制御基板に搭載されている回路素子の電源電圧よりも高い電源電圧を監視して該電源電圧が第１の電圧値以下になると検出信号を出力する第１の電源監視手段と、
前記遊技制御用マイクロコンピュータと前記払出制御用マイクロコンピュータとに接続され、前記第１の電源監視手段が監視する前記電源電圧と同一あるいは異なる電源電圧を監視し、電力供給が開始されたときにリセット信号をハイレベルにする一方、電力供給が停止するときにリセット信号をローレベルにする第２の電源監視手段と、
前記払出制御用マイクロコンピュータに入力されるリセット信号がハイレベルになるときよりも遅らせて、前記遊技制御用マイクロコンピュータに入力されるリセット信号をハイレベルにする遅延手段と、をさらに備え、
前記第１の電源監視手段は前記遊技制御基板の前記遊技制御用マイクロコンピュータと前記払出制御基板の前記払出制御用マイクロコンピュータとに接続され、単一の前記第１の電源監視手段から前記遊技制御用マイクロコンピュータと前記払出制御用マイクロコンピュータとに検出信号が出力され、
電力供給が開始されたときに、
前記第２の電源監視手段は、監視している電源電圧が前記第１の電圧値よりも低い第２の電圧値よりも高くなったときにリセット信号をハイレベルにし、
前記払出制御用マイクロコンピュータは、前記第２の電源監視手段からのリセット信号がハイレベルになったことにもとづいて動作可能状態となり、
前記遊技制御用マイクロコンピュータは、前記第２の電源監視手段からのリセット信号がハイレベルになったことにもとづいて動作可能状態となり、
電力供給が停止するときに、
前記第２の電源監視手段は、監視している電源電圧が前記第２の電圧値以下になったときにリセット信号をローレベルにし、
前記遊技制御用マイクロコンピュータは、前記第１の電源監視手段からの検出信号により、電力供給が停止してもデータが保持される前記ＲＡＭに生成したチェックサムを格納する電力供給停止時処理を実行し、前記第２の電源監視手段からの前記リセット信号がローレベルになったことに応じて動作停止状態となり、
前記払出制御用マイクロコンピュータは、前記第１の電源監視手段からの検出信号により、電力供給が停止してもデータが保持される前記ＲＡＭに生成したチェックサムを格納する電力供給停止時処理を実行し、前記第２の電源監視手段からの前記リセット信号がローレベルになったことに応じて動作停止状態となる
ことを特徴とする遊技機。
【請求項２】
第２の電源監視手段は、監視している電源電圧が、第１の電源監視手段による検出信号の出力から該第２の電源監視手段によるリセット信号がローレベルになるまでの期間に遊技制御用マイクロコンピュータおよび払出制御用マイクロコンピュータが電力供給停止時処理を完了するように設定された第２の電圧値以下になったときにリセット信号をローレベルにする
請求項１記載の遊技機。
【請求項３】
遊技制御基板および払出制御基板とは別個に設けられ前記遊技制御基板および前記払出制御基板で使用される各電圧を生成する電源基板を備え、
前記第１の電源監視手段は前記電源基板に設けられている
請求項１または請求項２記載の遊技機。
【手続補正２】
【補正対象書類名】明細書
【補正対象項目名】００１６
【補正方法】変更
【補正の内容】
【００１６】
【課題を解決するための手段】
本発明による遊技機は、遊技者が所定の遊技を行い、入賞に応じて景品遊技媒体を払い出す遊技機であって、遊技の進行を制御する遊技制御用マイクロコンピュータが搭載された遊技制御基板と、入賞に応じて遊技制御用マイクロコンピュータから出力される払出制御コマンドにもとづいて景品遊技媒体の払出処理を行う払出制御用マイクロコンピュータが搭載された払出制御基板と、を備え、遊技制御用マイクロコンピュータは、バックアップ電源により遊技機に対する電力供給が停止してもデータが保持されるＲＡＭを有し、電力供給が開始されたときにＲＡＭの保持データにもとづいて遊技状態を復帰させる遊技状態復帰制御を行うことが可能であり、払出制御用マイクロコンピュータは、バックアップ電源により遊技機に対する電力供給が停止してもデータが保持されるＲＡＭを有し、電力供給が開始されたときにＲＡＭの保持データにもとづいて電力供給停止時の景品遊技媒体の払出処理を再開することが可能であり、遊技機で使用される各制御基板に搭載されている回路素子の電源電圧よりも高い電源電圧を監視して該電源電圧が第１の電圧値以下になると検出信号を出力する第１の電源監視手段と、遊技制御用マイクロコンピュータと払出制御用マイクロコンピュータとに接続され、第１の電源監視手段が監視する電源電圧と同一あるいは異なる電源電圧を監視し、電力供給が開始されたときにリセット信号をハイレベルにする一方、電力供給が停止するときにリセット信号をローレベルにする第２の電源監視手段と、払出制御用マイクロコンピュータに入力されるリセット信号がハイレベルになるときよりも遅らせて、遊技制御用マイクロコンピュータに入力されるリセット信号をハイレベルにする遅延手段と、をさらに備え、第１の電源監視手段は遊技制御基板の遊技制御用マイクロコンピュータと払出制御基板の払出制御用マイクロコンピュータとに接続され、単一の第１の電源監視手段から遊技制御用マイクロコンピュータと払出制御用マイクロコンピュータとに検出信号が出力され、電力供給が開始されたときに、第２の電源監視手段は、監視している電源電圧が第１の電圧値よりも低い第２の電圧値よりも高くなったときにリセット信号をハイレベルにし、払出制御用マイクロコンピュータは、第２の電源監視手段からのリセット信号がハイレベルになったことにもとづいて動作可能状態となり、遊技制御用マイクロコンピュータは、第２の電源監視手段からのリセット信号がハイレベルになったことにもとづいて動作可能状態となり、電力供給が停止するときに、第２の電源監視手段は、監視している電源電圧が第２の電圧値以下になったときにリセット信号をローレベルにし、遊技制御用マイクロコンピュータは、第１の電源監視手段からの検出信号により、電力供給が停止してもデータが保持されるＲＡＭに生成したチェックサムを格納する電力供給停止時処理を実行し、第２の電源監視手段からのリセット信号がローレベルになったことに応じて動作停止状態となり、払出制御用マイクロコンピュータは、第１の電源監視手段からの検出信号により、電力供給が停止してもデータが保持されるＲＡＭに生成したチェックサムを格納する電力供給停止時処理を実行し、第２の電源監視手段からのリセット信号がローレベルになったことに応じて動作停止状態となることを特徴とする。
【手続補正３】
【補正対象書類名】明細書
【補正対象項目名】００１７
【補正方法】変更
【補正の内容】
【００１７】
第２の電源監視手段は、監視している電源電圧が、第１の電源監視手段による検出信号の出力から該第２の電源監視手段によるリセット信号がローレベルになるまでの期間に遊技制御用マイクロコンピュータおよび払出制御用マイクロコンピュータが電力供給停止時処理を完了するように設定された第２の電圧値以下になったときにリセット信号をローレベルにする構成であってもよい。
【手続補正４】
【補正対象書類名】明細書
【補正対象項目名】００１８
【補正方法】変更
【補正の内容】
【００１８】
遊技制御基板および払出制御基板とは別個に設けられ遊技制御基板および払出制御基板で使用される各電圧を生成する電源基板を備え、第１の電源監視手段は電源基板に設けられているのが好ましい。
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】０２５３
【補正方法】削除
【補正の内容】
【手続補正１２】
【補正対象書類名】明細書
【補正対象項目名】０２５４
【補正方法】削除
【補正の内容】
【手続補正１３】
【補正対象書類名】明細書
【補正対象項目名】０２５５
【補正方法】削除
【補正の内容】
【手続補正１４】
【補正対象書類名】明細書
【補正対象項目名】０２５６
【補正方法】削除
【補正の内容】
【手続補正１５】
【補正対象書類名】明細書
【補正対象項目名】０２５７
【補正方法】削除
【補正の内容】
【手続補正１６】
【補正対象書類名】明細書
【補正対象項目名】０２５８
【補正方法】削除
【補正の内容】
【手続補正１７】
【補正対象書類名】明細書
【補正対象項目名】０２５９
【補正方法】削除
【補正の内容】
【手続補正１８】
【補正対象書類名】明細書
【補正対象項目名】０２６０
【補正方法】削除
【補正の内容】